(57)【要約】    【課題】      周囲の環境に応じて映像視聴機能を制御することにより、すべての機能を停止せずに、常に、マルチメディア情報端末として機能させること。    【解決手段】  現在位置検出部１０２は、携帯端末装置１０１の現在位置を検出する。地図データ記録部１０３は、映像視聴制限場所の情報を具備する地図データを記録する。制御方法決定部１０４は、検出した位置情報と映像視聴制限場所情報に基づき視聴機能の制御方法を決定する。映像出力部１０５は、受信した映像を出力する。第１音声出力部１０７は、受信した音声を出力する。第２音声出力部１０８は、受信した音声を出力する。テレビ放送受信部１１１は、テレビ放送の映像及び音声を受信する。映像・音声記録部１１２は、映像・音声を記録する。  【選択図】      図１
2006148675.tif 000002
【特許請求の範囲】
【請求項１】
情報を受信する受信手段と、
前記受信手段にて受信した前記情報を出力する出力手段と、
前記受信手段にて受信した前記情報を記憶する記憶手段と、
現在位置を取得する位置情報取得手段と、
前記位置情報取得手段が取得した現在位置を示す位置情報に基づいて、前記受信手段にて受信した前記情報を前記出力手段にて出力させる場合と前記記憶手段に記憶させる場合とを切り替える制御方法決定手段と、
を具備することを特徴とする携帯端末装置。
【請求項２】
情報を受信する受信手段と、
前記受信手段にて受信した前記情報を出力する出力手段と、
前記受信手段にて受信した前記情報を記憶する記憶手段と、
移動速度を検出する移動速度検出手段と、
前記移動速度検出手段が取得した移動速度に基づいて、前記受信手段にて受信した前記情報を前記出力手段にて出力させる場合と前記記憶手段に記憶させる場合とを切り替える制御方法決定手段と、
を具備することを特徴とする携帯端末装置。
【請求項３】
現在の時刻を検出する時刻検出手段を具備し、
前記制御方法決定手段は、前記時刻検出手段にて検出された現在の時刻の情報である時間情報に基づいて、前記受信手段にて受信した前記情報を前記出力手段にて出力させる場合と前記記憶手段に記憶させる場合とを切り替えることを特徴とする請求項１または請求項２記載の携帯端末装置。
【請求項４】
前記受信手段は、テレビ放送の映像及び音声を前記情報として受信することを特徴とする請求項１から請求項３のいずれかに記載の携帯端末装置。
【請求項５】
前記受信手段は、外部ネットワークから配信される前記情報を受信することを特徴とする請求項１から請求項４のいずれかに記載の携帯端末装置。
【発明の詳細な説明】
【技術分野】
【０００１】
本発明は、携帯端末装置に関し、特に利用環境に応じて映像視聴機能を制限する携帯端末装置に関する。
【背景技術】
【０００２】
近年の携帯端末装置は、小型化、省電力化に加えて、電話機能、メール機能、ブラウジング機能、動画像録画再生機能を備える等、多機能化が急速に進み、また、近い将来には、テレビ放送受信機能も備えられる見通しである。このように、携帯端末装置が場所を問わずマルチメディア情報端末として進化していく一方で、利用者のマナーに関する対策が必須となっている。
【０００３】
従来、携帯端末の発着信を禁止することが望まれる建物および乗り物の入口にセンサを設け、建物および乗り物内では携帯電話の発着信を禁止又は許可する携帯端末装置が知られている（例えば、特許文献１）。
【０００４】
また、通信している基地局の変更頻度及び時間を測定し、測定結果から携帯端末の移動速度を算出し、高速移動中の場合には、回線接続を切断する携帯電話装置が知られている（例えば、特許文献２）。
【０００５】
また、劇場または病院等の電源を切る必要のある特定の場所の位置情報と携帯電話装置の内部に持つ地図情報とを比較し、現在位置が、携帯電話の使用が望ましくない場所である場合には、自動的に無線部の動作を停止する携帯電話装置が知られている（例えば、特許文献３）。
【特許文献１】特開２００１−１８９７９７号公報
【特許文献２】特開２００１−２３８２５７号公報
【特許文献３】特開２００２−１５２８２８号公報
【発明の開示】
【発明が解決しようとする課題】
【０００６】
しかしながら、従来の装置においては、電話機能として、特定の場所において端末装置の発着信を停止するように制御するものの、現在進化しつつあるマルチメディア情報端末として考慮がなされていない。このため、従来の装置においては、発着信を停止するように制御されている間、端末としての全機能が停止してしまい、この場合、マルチメディア情報端末として機能しないという問題がある。
【０００７】
本発明はかかる点に鑑みてなされたものであり、周囲の環境に応じて映像視聴機能を制御することにより、すべての機能を停止せずに、常に、マルチメディア情報端末として機能させることができる携帯端末装置を提供することを目的とする。
【課題を解決するための手段】
【０００８】
本発明の携帯端末装置は、情報を受信する受信手段と、前記受信手段にて受信した前記情報を出力する出力手段と、前記受信手段にて受信した前記情報を記憶する記憶手段と、現在位置を取得する位置情報取得手段と、前記位置情報取得手段が取得した現在位置を示す位置情報に基づいて、前記受信手段にて受信した前記情報を前記出力手段にて出力させる場合と前記記憶手段に記憶させる場合とを切り替える制御方法決定手段と、を具備する構成を採る。
【０００９】
また、本発明の携帯端末装置は、情報を受信する受信手段と、前記受信手段にて受信した前記情報を出力する出力手段と、前記受信手段にて受信した前記情報を記憶する記憶手段と、移動速度を検出する移動速度検出手段と、前記移動速度検出手段が取得した移動速度に基づいて、前記受信手段にて受信した前記情報を前記出力手段にて出力させる場合と前記記憶手段に記憶させる場合とを切り替える制御方法決定手段と、を具備する構成を採る。
【発明の効果】
【００１０】
本発明によれば、周囲の環境に応じて映像視聴機能を制御することにより、すべての機能を停止せずに、常に、マルチメディア情報端末として機能させることができる。
【発明を実施するための最良の形態】
【００１１】
以下に、本発明の実施の形態について、図面を参照して詳細に説明する。
【００１２】
（実施の形態１）
本実施の形態１の携帯端末装置１０１は、検出した位置情報と、地図データ上の制御情報に基づき、携帯端末装置１０１の画像及び音声出力を制御すると共に、画像及び音声を出力することができない場合、出力することができない画像及び音声を記録するように構成したものである。
【００１３】
次に、本実施の形態１の携帯端末装置１０１の構成を説明する。図１は、実施の形態１の携帯端末装置１０１の構成を示すブロック図である。画面制御部１０６、音声出力選択部１０９及び音声出力制御部１１０は、映像視聴機能制御部１１４を構成する。
【００１４】
図１において、１０１は、携帯端末装置、１０２は、ＧＰＳ、基地局測位、ホットスポット等により携帯端末装置１０１の現在位置を検出する現在位置検出部（位置情報検出手段）、１０３は、映像視聴制限場所の情報を具備する地図データを記録した地図データ記録部、１０４は、現在位置検出部１０２の検出した位置情報と地図データ記録部１０３内に格納された映像視聴制限場所の情報に基づき視聴機能の制御方法を決定し、画面制御部１０６、音声出力選択部１０９及び音声出力制御部１１０の出力を制御する制御方法決定部、１０５は、ＬＣＤ等の映像出力部、１０６は制御方法決定部１０４の制御に基づいて、テレビ放送受信部１１１または無線通信部１１３から入力した映像データの映像出力部１０５への出力を制御する画面制御部である。又、１０７はスピーカ等の第１音声出力部、１０８はイヤホン等の第２音声出力部、１０９は、制御方法決定部１０４の制御に基づいて、テレビ放送受信部１１１または無線通信部１１３から入力した音声データの出力先として第１音声出力部１０７又は第２音声出力部１０８を選択する音声出力選択部、１１０は、制御方法決定部１０４の制御に基づいて、音声出力選択部１０９から入力した音声データの第１音声出力部１０７及び第２音声出力部１０８への出力を制御するとともに、音声出力レベルを制御する音声出力制御部である。１１１はテレビ放送受信部、１１２はテレビ放送受信部１１１で受信した映像・音声を記録する映像・音声記録部であり、テレビ放送受信部１１１で受信した映像は、映像出力部１０５へ、又、テレビ放送受信部１１１で受信した音声は、第１音声出力部１０７または第２音声出力部１０８へ導かれるように構成している。
【００１５】
又、１１３は、無線受信部であり、この無線受信部１１３を介して、外部ネットワークより配信されるストリーミングデータなどの映像及び音声を受信し、受信した映像は映像出力部１０５へ、又、音声は第１音声出力部１０７または第２音声出力部１０８へ導かれるように構成している。
【００１６】
次に、このように構成した携帯端末装置１０１の動作を、図２を参照して説明する。図２は、携帯端末装置１０１の動作を示すフロー図である。
【００１７】
先ず、現在位置検出部１０２で現在位置を検出すると共に、地図データ記録部１０３内に格納された現在位置に対応する制御データに基づき、制御方法決定部１０４が、映像出力部１０５、第１音声出力部１０７及び第２音声出力部１０８のそれぞれの制御内容を検出し（ステップＳＴ２０１）、制御が必要であるか否かを決定する（ステップＳＴ２０２）。なお、ステップＳＴ２０１、２０２の詳細については、後述する。
【００１８】
制御が不要である場合は処理を終了する。又、制御が必要である場合は、決定された制御を行う旨を画面表示、音声、振動などにより利用者に報知する（ステップＳＴ２０３）。そして、制御方法決定部１０４は、視聴できない映像や音声の記録が必要であるか否かを判定し（ステップＳＴ２０４）、記録が必要でない場合は、映像出力部１０５、第１音声出力部１０７及び第２音声出力部１０８を制御することにより、視聴機能を制御する（ステップＳＴ２０６）。一方、記録が必要な場合、制御方法決定部１０４は、映像及び音声を映像・音声記録部１１２で記録し（ステップＳＴ２０５）、映像出力部１０５、第１音声出力部１０７及び第２音声出力部１０８から出力されないように制御する。更に、映像・音声記録部１１２に記録されている情報を再生する際も、図２のフローチャートに従って、映像及び音声の出力を制限することにより、視聴機能を制御する（ステップＳＴ２０６）。
【００１９】
なお、記録が必要であるか否かについては、予めその条件が定められている。
【００２０】
次に、図２のステップＳＴ２０１、２０２の動作について更に詳細に説明する。図３（Ａ）は、図２のステップＳＴ２０１、２０２の動作を更に詳細に示したフロー図である。
【００２１】
先ず、ＧＰＳや基地局電波、ホットスポット等を利用した現在位置検出部１０２により、携帯端末装置１０１の現在位置を求める（ステップＳＴ３０１）。次に、地図データ記録部１０３内に格納された地図データ上で携帯端末装置１０１の位置を確認し、図４に示されているように、現在位置が視聴機能制御対象エリア４０１内かどうか、即ち規制エリア内か否かを判定する（ステップＳＴ３０２）。そして、制御方法決定部１０４は、エリア外であれば視聴機能の制御を行わないが、エリア内であれば、所定の時間経過後（ステップＳＴ３０３）、再度、現在位置の検出を行い（ステップＳＴ３０４）、引き続き同一エリア内にいる場合は、視聴機能制御対象エリア４０１を示す制御データに基づいて、当該場所に応じた視聴機能の制御内容を決定する（ステップＳＴ３０５）。
【００２２】
なお、以上の説明では地図データをメモリ上に格納するように構成したが、地図データをセンターに備え、センターで視聴機能の制御判定を行い、その結果を携帯端末装置１０１で受信し、視聴機能の制御を行うように構成してもよい。
【００２３】
又、地図データには、視聴機能制御対象エリアである場合、地図データには、予め決められた符号で表示され、符号毎に、異なる制御が行われるようになっている。
【００２４】
又、地図データに代えて、図５に示すような、各位置情報毎の映像出力部、音声出力部のそれぞれの制御内容を指示する視聴機能制御テーブルをメモリに持ち、制御方法決定部１０４が、視聴機能制御テーブルを検索することによって視聴機能の制御の決定を行うように構成してもよい。また、視聴機能制御テーブルを予めメモリ上に格納するように構成してもよいし、外部ネットワークからダウンロードして、テーブルデータを得る構成にしてもよい。
【００２５】
次に、図３（Ｂ）を用いて映像視聴機能制御について述べる。
【００２６】
先ず、制御方法決定部１０４で決定された制御内容に基づき、画面制御部１０６を制御することで、画面表示のＯＮ／ＯＦＦをコントロールすることにより、画面制御を行う（ステップＳＴ３１１）。次に、音声出力部が複数設けられている場合、音声出力選択部１０９を制御することで、第１音声出力部１０７と第２音声出力部１０８の選択を行う（ステップＳＴ３１２）。具体的には、スピーカやイヤホンなどの選択を行う。次に、音声出力制御部１１０を制御することで、音声出力選択部１０９で選択された出力部の音声出力のＯＮ／ＯＦＦや音量レベルを所定のレベルに設定することにより、音声出力制御を行う（ステップＳＴ３１３）。
【００２７】
以上の説明では、音声出力部を第１音声出力部１０７と第２音声出力部１０８の２つとしたが、３つ以上の音声出力部が設けられても良い。また、複数の出力部から同時に音声出力させるように構成しても良い。
【００２８】
このように、本実施の形態１によれば、携帯端末装置の現在位置を検出することにより、利用者が自ら設定することなく、自動的に建物や施設内でのテレビ映像視聴機能を制御することができるとともに、制御によって視聴できなくなった映像及び音声を記録しておくことにより、視聴可能な状態になった時に視聴することができるので、すべての機能を停止せずに、常に、マルチメディア情報端末として機能させることができる。また、本実施の形態１によれば、テレビ放送受信部１１１により取得したコンテンツの映像及び音声出力や、無線通信部１１３により取得した映像及び音声出力や、映像・音声記録部１１２に記録されているデータの再生時の映像及び音声出力を制限することができる。
【００２９】
（実施の形態２）
本実施の形態２の携帯端末装置６０１は、電車やバス等で移動している携帯端末装置６０１の移動速度を検出し、検出した移動速度が所定の速度以上の場合、携帯端末装置６０１が電車やバス内にあると判断し、携帯端末装置６０１の画像及び音声出力を制御すると共に、画像及び音声を出力することができない場合、出力することができない画像及び音声を記録するように構成したものである。
【００３０】
図６は、本実施の形態２の携帯端末装置６０１の構成を示すブロック図である。図１の携帯端末装置１０１と異なる点は、現在位置検出部１０２の代わりに、加速度センサによって移動速度を検出する移動速度検出部６０２を設け、制御方法決定部６０４では、テーブル６０３に基づき、検出した移動速度が、予め決めた所定の速度以上の場合、画面制御部１０６、音声出力選択部１０９、音声出力制御部１１０、映像・音声記録部１１２を制御するように構成している。その他の構成は、図１と同じ構成であるので、同一の符号を付してその説明は省略する。
【００３１】
次に、携帯端末装置６０１の動作について、図７を用いて説明する。図７は、携帯端末装置６０１の動作を示すフロー図である。全体の処理フローは、実施の形態１の図２と同様に行われる。また、視聴機能の制御処理も実施の形態１の図３（Ｂ）と同様に行われるので、説明は省略する。
【００３２】
従って、移動速度検出部６０２で移動速度を検出し、検出した移動速度に基づき、制御方法決定部６０４が、制御内容を決定する流れについて説明する。
【００３３】
まず、ＧＰＳや加速度センサなどを利用した移動速度検出部６０２により、携帯端末装置６０１の移動速度を検出する（ステップＳＴ７０１）。次に、制御方法決定部６０４は、検出した速度が、予め定めた所定の速度以上か否かを判定する（ステップＳＴ７０２）。予め定めた速度以上ではない場合は、制御処理を行わないが、予め定めた所定の速度以上の場合には、メモリに記録されている図８のようなテーブルを参照して、検出した速度に対応した制御内容の検索を行う（ステップＳＴ７０３）。次に、制御方法決定部６０４は、テーブル６０３において、検出した速度に対応する制御内容が存在するか否かを判定する（ステップＳＴ７０４）。検出した速度に対応する制御内容が存在する場合、制御方法決定部６０４は、テーブル６０３の制御内容に従って制御内容を決定し（ステップＳＴ７０５）、画面制御部１０６、音声出力選択部１０９、音声出力制御部１１０、映像・音声記録部１１２を制御する。又、ステップＳＴ７０４において、テーブル６０３内に検出した速度に対応する制御内容が存在しない場合は、制御処理を行わない。
【００３４】
このように、本実施の形態２によれば、携帯端末装置の移動速度を検出することにより、利用者が自ら特別な設定を行うことなく、電車やバスの乗車時或いは徒歩や自転車などでの移動中においても、自動的に携帯端末装置の映像視聴機能を制御することができるとともに、制御によって視聴できなくなった映像及び音声を記録しておくことにより、視聴可能な状態になった時に視聴することができるので、すべての機能を停止せずに、常に、マルチメディア情報端末として機能させることができる。
【００３５】
なお、本実施の形態２において、テーブル６０３を用いて制御するように構成したが、これに限らず、制御テーブルを用いずに、予め決めた所定の速度以上の場合のみ、制御処理を行うように構成してもよい。また、本実施の形態２において、テーブル６０３は予めメモリ上におかれているとしたが、これに限らず、外部ネットワークからのダウンロードにより得る構成にしてもよい。
【００３６】
（実施の形態３）
図９は、本実施の形態３の携帯端末装置９０１の構成を示すブロック図である。図９において、現在位置検出部１０２、移動速度検出部６０２、時刻検出部９０２及び音声入力レベル検出部９１２は、環境検出部９１３を構成する。
【００３７】
図９に示す携帯端末装置９０１では、図１の現在位置検出部１０２、図６の移動速度検出部６０２に加え、現在時刻を検出する時刻検出部９０２、周囲の音声レベルを検出する音声入力レベル検出部９１２、画面表示の視野角を制御する視野角制御部９０５、画面のバックライトの明るさ又はＯＮ／ＯＦＦを制御するバックライト制御部９０６、更に、現在位置検出部１０２、移動速度検出部６０２、時刻検出部９０２及び音声入力レベル検出部９１２の検出結果に基づいて、画面制御部１０６、音声出力選択部１０９、音声出力制御部１１０、映像・音声記録部１１２、視野角制御部９０５、バックライト制御部９０６を制御する制御方法決定部９０４と、テーブル９０３を設けた点で、図１及び図６の構成と異なる。なお、図９におけるその他の構成は図１と同一であるので、同一の符号を付してその説明は省略する。又、携帯端末装置９０１の全体の動作は、図２と同様であるので、全体の動作についての説明は省略する。
【００３８】
なお、テレビ放送受信部１１１が示されていないが、テレビ放送受信部１１１を含むように構成してもよい。
【００３９】
以下に、現在位置検出部１０２、移動速度検出部６０２、現在時刻を検出する時刻検出部９０２、周囲の音声レベルを検出する音声入力レベル検出部９１２に基づき制御方法決定部９０４が、テーブル９０３を参照して、制御内容を決定するまでの手順について、図１０を用いて説明する。図１０は、携帯端末装置９０１における制御内容を決定するまでの手順を示すフロー図である。
【００４０】
先ず、音声入力レベル検出部９１２により周囲の音声レベルの検出を行い（ステップＳＴ１００１）、図１１のような制御テーブル９０３に従い、検出レベルに応じた制御内容を設定する（ステップＳＴ１００２）。次に、現在位置検出部１０２で現在位置を検出し（ステップＳＴ１００３）、制御方法決定部９０４は、検出した現在位置は規制エリア内であるか否かを判定する（ステップＳＴ１００４）。現在位置が、規制エリア内にあれば、次に、時刻に基づく制御内容があるか否か、即ち時刻規制があるか否かを判断し（ステップＳＴ１００５）、時刻に基づく制御内容がある場合には、時刻検出部９０２により現在時刻を検出し（ステップＳＴ１００６）、最終的な制御内容を決定する（ステップＳＴ１００７）。一方、ステップＳＴ１００５において、時刻に基づく制御がなければ、この状態の最終的な制御内容を決定する（ステップＳＴ１００７）。
【００４１】
又、ステップＳＴ１００４において、現在位置が規制エリア外である場合、移動速度検出部６０２を用いて一定時間、携帯端末装置９０１の移動速度を検出する（ステップＳＴ１００８）。次に、制御方法決定部９０４は、検出した移動速度が予め定めた速度以上であるか否かを判定する（ステップＳＴ１００９）。検出した速度が予め定めた速度以上ではない場合、制御処理を行わないが、予め定めた速度以上の場合、時刻検出部９０２により現在時刻の検出を行う（ステップＳＴ１０１０）。そして、制御方法決定部９０４は、各検出部により得られた現在位置、速度、時刻データ（時間情報）に基づいて、テーブル９０３を検索し（ステップＳＴ１０１１）、現在位置、速度、時刻データに応じた制御内容がテーブル９０３内に存在しているかを判定する（ステップＳＴ１０１２）。検出した現在位置、速度、時刻に該当するデータが、テーブル９０３内に存在する場合、制御方法決定部９０４は、制御内容を決定する（ステップＳＴ１００７）。又、検出した現在位置、速度、時刻に該当するデータが、テーブル９０３内に存在しない場合、制御方法決定部９０４は、制御処理を行わずに終了する。
【００４２】
具体的には、検出した現在位置が、ある学校の位置に一致し、時刻が１１時の場合、授業中の学校内であると判断され、携帯端末装置９０１の映像出力がＯＦＦに制御され、又、第１音声出力部１０７及び第２音声出力部１０８もＯＦＦに制御される。
【００４３】
又、移動速度が６０Ｋｍ／ｈの場合、電車・バスの中であると判断され、スピーカ等の第１音声出力部１０７がＯＦＦに制御される。
【００４４】
又、測定した音声入力レベルが、予め決めた音圧レベル以上の場合、電車・バスの中であると判断され、視野角制御部９０５により映像出力部１０５の視野角が制御され、同時に、第１音声出力部１０７及び第２音声出力部１０８の音量を大きく設定する。
【００４５】
次に、図１２を用いて映像視聴機能の制御について述べる。
【００４６】
制御方法決定部９０４で決定された制御内容に基づいて、画面制御部１０６の制御により、画面表示のＯＮ／ＯＦＦを制御することにより、画面表示を制御し（ステップＳＴ１２０１）、更に、視野角制御部９０５の制御により、画面が見える視野角を調節することにより、視野角制御を行う（ステップＳＴ１２０２）。又、バックライト制御部９０６の制御により、画面のバックライトの明るさ又はバックライトのＯＮ／ＯＦＦの制御を行うことにより、バックライト制御を行う（ステップＳＴ１２０３）。更に、図３のステップＳＴ３１２、３１３と同様に、音声出力部が複数設けられている場合、音声出力選択部１０９を制御することで、第１音声出力部１０７と第２音声出力部１０８の選択を行う（ステップＳＴ１２０４）。次に、音声出力制御部１１０を制御することで、音声出力選択部１０９で選択された出力部の音声出力のＯＮ／ＯＦＦや音量レベルを所定のレベルに設定することにより、音声出力制御を行う（ステップＳＴ１２０５）。
【００４７】
このように、本実施の形態３によれば、携帯端末の現在位置、移動速度、現在時刻を検出することにより、建物や施設内、乗車時、時間帯別の制御や、電車やバスの路線判定、時刻表を用いての制御等、詳細な周囲の環境を検出することにより、環境に適した映像視聴機能の制御を行うことができるとともに、制御によって視聴できなくなった映像及び音声を記録しておくことにより、視聴可能な状態になった時に視聴することができるので、すべての機能を停止せずに、常に、マルチメディア情報端末として機能させることができる。また、本実施の形態３によれば、周囲の音声レベルによって視聴覚制御やバックライト制御を行うことにより、周囲の人に見られることなく視聴することを可能にすることができる。
【００４８】
なお、上記実施の形態１〜実施の形態３において、映像・音声情報を記録する映像・音声記録部１１２を携帯端末に備えるように構成したが、これに限らず、映像・音声記録部１１２を外部メモリとして持ち、そこへ映像・音声情報を記録するように構成しても、同様の効果が得られる。
【産業上の利用可能性】
【００４９】
本発明は、特に、マルチメディア機能を具備する携帯端末装置に用いるのに好適である。
【図面の簡単な説明】
【００５０】
【図１】本発明の実施の形態１に係る携帯端末装置の構成を示すブロック図
【図２】本発明の実施の形態１に係る携帯端末装置の動作を示すフロー図
【図３】本発明の実施の形態１に係る携帯端末装置の動作を示すフロー図
【図４】本発明の実施の形態１に係る携帯端末装置の地図データを示す図
【図５】本発明の実施の形態１に係る携帯端末装置の制御テーブルの一例を示す図
【図６】本発明の実施の形態２に係る携帯端末装置の構成を示すブロック図
【図７】本発明の実施の形態２に係る携帯端末装置の動作を示すフロー図
【図８】本発明の実施の形態２に係る携帯端末装置の制御テーブルの一例を示す図
【図９】本発明の実施の形態３に係る携帯端末装置の構成を示すブロック図
【図１０】本発明の実施の形態３に係る携帯端末装置の動作を示すフロー図
【図１１】本発明の実施の形態３に係る携帯端末装置の制御テーブルの一例を示す図
【図１２】本発明の実施の形態３に係る携帯端末装置の動作を示すフロー図
【符号の説明】
【００５１】
１０１、６０１、９０１  携帯端末装置
１０２  現在位置検出部
１０３  地図データ記録部
１０４、６０４、９０４  制御方法決定部
１０５  映像出力部
１０６  画面制御部
１０７  第１音声出力部
１０８  第２音声出力部
１０９  音声出力選択部
１１０  音声出力制御部
１１１  テレビ放送受信部
１１２  映像・音声記録部
１１３  無線通信部
５０１  視聴機能制御テーブル
６０２  移動速度検出部
６０３、９０３  テーブル
９０２  時刻検出部
９０５  視野角制御部
９０６  バックライト制御部
９１２  音声入力レベル検出部
【図１】
2006148675.tif 000003
【図２】
2006148675.tif 000004
【図３】
2006148675.tif 000005
【図４】
2006148675.tif 000006
【図５】
2006148675.tif 000007
【図６】
2006148675.tif 000008
【図７】
2006148675.tif 000009
【図８】
2006148675.tif 000010
【図９】
2006148675.tif 000011
【図１０】
2006148675.tif 000012
【図１１】
2006148675.tif 000013
【図１２】
2006148675.tif 000014